(57)【要約】      （修正有）【課題】外部機器とのインターフェイスを行うための制御基板を筐体内にコンパクトに収納し、かつ、制御基板と外部機器との接続に際し、筐体の背面から引き出される外部接続用ケーブルが他の構成部品に干渉することなくコンパクトに引き出すことができるようにする。【解決手段】外部機器を接続するコネクタ端子３２は、キャビネット５内においてほぼ垂直に取り付けられた制御基板３０に対して傾斜して実装され、バックキャビネット５Ｂの段差凹部１３において下向きに形成した傾斜面１３Ａに沿って接続コネクタ３５のコネクタハウジング３６が外側に向かって導出されように取り付けられる。【選択図】図１
2006202817.tif 000002
【特許請求の範囲】
【請求項１】
筐体の内部に各種電子部品とこれらの電子部品を制御する制御基板を収納し、この制御基板に接続したコネクタ端子を前記筐体の背面に形成する開口部に臨ませて固定し、そのコネクタ端子に外部接続用ケーブルの接続用コネクタを接続するように構成した電子機器において、前記背面に少なくとも下向き傾斜の傾斜面を形成し、この傾斜面に前記開口部を形成し、該開口部に装着した前記コネクタ端子に接続用コネクタを介して接続された前記ケーブルを下向き斜め後方に引き出すように案内するとともに、前記制御基板が前記背面に対してほぼ平行に固定され、その制御基板に実装する前記コネクタ端子を前記傾斜面の傾斜角度に対応させて前記制御基板に対して傾斜させて実装したことを特徴とするコネクタ端子を備えた電子機器。
【請求項２】
前記接続用コネクタのハウジングが該接続用コネクタから引き出される前記ケーブルを前記筐体の側部に引き出すように横方向に屈曲させたことを特徴とする請求項１記載のコネクタ端子を備えた電子機器。
【請求項３】
前記筐体がフロントキャビネットとバックキャビネットとから成り、この筐体内に表示ユニットを収納し、この筐体を支持するスタンドを設けるとともに、前記表示ユニットに下方に延出する取付ブラケットを固定し、この取付ブラケットを前記スタンドに回動自在に枢着した支持ブラケットに固定したことを特徴とする請求項１又は２項に記載のコネクタ端子を備えた電子機器。
【請求項４】
前記バックキャビネットの背面にコネクタ端子を装着する傾斜面と底部を備えた段差凹部を形成し、この段差凹部の底部から前記傾斜面と対向するように前記スタンドを覆うカバー部を延設するとともに、前記傾斜面の傾斜角が、該傾斜面から引き出されたケーブルが前記カバー部と干渉しないように設定されていることを特徴とする請求項３記載のコネクタ端子を備えた電子機器。
【請求項５】
前記取付ブラケットと前記段差凹部の底部との間に前記支持ブラケットが挿入可能な隙間を形成するとともに、前記取付ブラケットと前記支持ブラケットとをねじ止め固定し、その固定ねじが挿通可能な開口孔を前記段差凹部の底部に形成したことを特徴とする請求項３又は４記載のコネクタ端子を備えた電子機器。
【発明の詳細な説明】
【技術分野】
【０００１】
本発明は、筐体の背面に制御基板に実装したコネクタ端子を装着し、このコネクタ端子を介して外部のケーブルを接続するようにしたコネクタ端子を備えた電子機器に関する。
【背景技術】
【０００２】
一般に、テレビジョン受像機などの電気機器は、各種の入出力端子が備えられ、これらの入出力端子に外部機器を接続して信号を入力又は出力するように構成しており、このような、外部機器との接続に際し、従来からテレビジョン受像機などの筐体内に収納した制御基板に入出力端子のコネクタ端子を実装し、このコネクタ端子に外部機器に接続された外部接続用ケーブルの接続用コネクタを接続している。
【０００３】
ところで、近年では、テレビジョン受像機において、液晶パネルやプラズマディスプレイなど薄型の表示ユニットが種々開発され、こうした薄型の表示ユニットを搭載したテレビジョン受像機においては、前述したように、制御基板に実装したコネクタ端子に外部接続用のケーブルなどを接続する場合、そのケーブルを筐体の背面に対してほぼ直角に引き出すと、筐体の背面にケーブルなどを引き出すための余分なスペースが必要となるため、薄型化による省スペースのメリットが得られない。そこで、例えば、特許文献１には、電気部品と、この電気部品の搭載されたプリント基板と、発熱性部品の冷却を目的とする放熱フィンにより構成される制御装置において、該制御装置に取り付けられる外部装置へのインターフェースを行うためのコネクタの取付けられる取付位置を制御装置の取付け面に対して、所定の角度を持って斜めに形成した制御装置が提案されている。
【０００４】
【特許文献１】特開平６−２６７６０１号公報
【発明の開示】
【発明が解決しようとする課題】
【０００５】
特許文献１に示す制御装置によれば、箱型の制御ボックスの前面パネルの下部から下面パネルに掛けて下向きに傾斜した傾斜面を形成し、その傾斜面にコネクタ端子を取り付けることによって、コネクタ端子と通信コネクタの接続を容易にし、且つ、接続した場合においても、通信コネクタ、通信ケーブルが制御ボックスの前面よりも前に出ないことから、制御ボックスの前面スペースの有効活用ができ、また、制御ボックスに収納する制御盤の縮小化、及び、省スペース化が図られるが、特許文献１においては、制御ボックスの傾斜面に取り付けたコネクタ端子と、制御ボックス内に設けた制御基板との取付け構造については具体的な構造が記載されておらず、不明ではあるが、一般に外部のコネクタと接続するためのコネクタ端子ｂは制御基板ａに実装されている。また、液晶型テレビジョン受像機などにおいては、制御基板ａに実装されるコネクタ端子ｂは、図７（ａ）に示すようにコネクタ端子ｂの接続部ｂ１が制御基板ａに対して水平となるように実装するか若しくは図７（ｂ）に示すようにコネクタ端子ｂの接続部ｂ１が制御基板ａに対して垂直となるように実装さている。このため、特許文献１に示す制御装置において、制御基板ａに対してコネクタ端子ｂの接続部ｂ１を水平に実装した場合、図８（ａ）に示すように、制御ボックス１００の傾斜面１０１にコネクタ端子ｂを取り付けると傾斜面１０１に対して制御基板ａが平行に配置されることになるから、制御基板ａの幅ｗの寸法が制約され、大型の制御基板ａを制御ボックス１００内に収納することができない。一方、制御基板ａに対してコネクタ端子ｂの接続部ｂ１を垂直に実装した場合、図８（ｂ）に示すように、制御ボックス１００内に制御基板ａを傾斜させて取り付ける必要があるため、制御基板ａ内における制御基板ａの取り付けスペースが増大し、装置の小型化が困難となり、特に、液晶型テレビジョン受像機などの薄型化が要求される電子機器において、筐体内に制御基板をコンパクトに収納し、かつ、筐体の背面から引き出されるケーブルなどをコンパクトに引き出すことが出来る構造が望ましい。
【０００６】
本発明は上記課題を鑑みてなされたものであり、液晶型テレビジョン受像機などにおいて、制御基板を筐体内にコンパクトに収納し、かつ、制御基板と外部機器との接続に際し、筐体の背面から引き出される外部接続用ケーブルが他の構成部品に干渉することなくコンパクトに引き出すことができるコネクタ端子を備えた電子機器を提供することを目的とする。
【課題を解決するための手段】
【０００７】
請求項１に係るコネクタ端子を備えた電子機器は、筐体の内部に各種電子部品とこれらの電子部品を制御する制御基板を収納し、この制御基板に接続したコネクタ端子を前記筐体の背面に形成する開口部に臨ませて固定し、そのコネクタ端子に外部接続用ケーブルの接続用コネクタを接続するように構成した電子機器において、前記背面に少なくとも下向き傾斜の傾斜面を形成し、この傾斜面に前記開口部を形成し、該開口部に装着した前記コネクタ端子に接続用コネクタを介して接続された前記ケーブルを下向き斜め後方に引き出すように案内するとともに、前記制御基板が前記背面に対してほぼ平行に固定され、その制御基板に実装する前記コネクタ端子を前記傾斜面の傾斜角度に対応させて前記制御基板に対して傾斜させて実装したことを特徴とする。
【０００８】
上記構成により、外部機器のケーブルを接続するためのコネクタ端子は、下向きに形成した傾斜面の傾斜角で取り付けられているから、コネクタ端子に外部機器のケーブルを接続した際、ケーブルが傾斜面に対してほぼ垂直に引き出されて下向きに傾斜した状態で引き出され、筐体の後方側にケーブルを引き出すために無駄なスペースを確保する必要がない。制御基板は、筐体内においてほぼ垂直に取り付けられているのに対し、外部機器のケーブルを接続するためのコネクタ端子は、傾斜面の傾斜角に対応して制御基板に対して傾斜させて取り付けられるから、制御基板は筐体内にコンパクトに収納され、筐体内に制御基板を取り付けるための広いスペースを確保する必要がない。
【０００９】
請求項２記載に係るコネクタ端子を備えた電子機器は、請求項１記載のコネクタ端子を備えた電子機器において、前記接続用コネクタのハウジングが該接続用コネクタから引き出される前記ケーブルを前記筐体の側部に引き出すように横方向に屈曲させたことを特徴とする。
【００１０】
上記構成により、接続コネクタのコネクタハウジングが外側に向かって屈曲しているから、接続コネクタから導出したケーブルがキャビネットの側方に引き出され、ケーブルの引き回しも容易である。
【００１１】
請求項３に係るコネクタ端子を備えた電子機器は、請求項１又は２項に記載のコネクタ端子を備えた電子機器において、前記筐体がフロントキャビネットとバックキャビネットとから成り、この筐体内に表示ユニットを収納し、この筐体を支持するスタンドを設けるとともに、前記表示ユニットに下方に延出する取付ブラケットを固定し、この取付ブラケットを前記スタンドに回動自在に枢着した支持ブラケットに固定したことを特徴とする。
【００１２】
上記構成により、スタンドに装着した表示ユニットを前後方向に傾けることによって、表示ユニットの角度調整が可能となる。
【００１３】
請求項４に係るコネクタ端子を備えた電子機器は、請求項３記載のコネクタ端子を備えた電子機器において、前記バックキャビネットの背面にコネクタ端子を装着する傾斜面と底部を備えた段差凹部を形成し、この段差凹部の底部から前記傾斜面と対向するように前記スタンドを覆うカバー部を延設するとともに、前記傾斜面の傾斜角が、該傾斜面から引き出されたケーブルが前記カバー部と干渉しないように設定されていることを特徴とする。
【００１４】
上記構成により、ケーブルとカバー部とが干渉しないように傾斜面の角度を設定しているため、コネクタ端子と接続コネクタの接合部やケーブルに曲げ応力などのストレスがかからない。
【００１５】
請求項５に係るコネクタ端子を備えた電子機器は、請求項３又は４記載のコネクタ端子を備えた電子機器において、前記取付ブラケットと前記段差凹部の底部との間に前記支持ブラケットが挿入可能な隙間を形成するとともに、前記取付ブラケットと前記支持ブラケットとをねじ止め固定し、その固定ねじが挿通可能な開口孔を前記段差凹部の底部に形成したことを特徴とする。
【００１６】
上記構成により、段差凹部の底部と取付ブラケットとが近接し、底部に形成する開口孔から支持ブラケットと取付ブラケットを固定する固定ねじを挿入する際、固定ねじを挿通する取付ブラケットの挿通孔や支持ブラケットのねじ孔の位置をバックキャビネットの外側から直接、確認することができるとともに、段差凹部を利用して接続コネクタを固定することから、接続コネクタを装着する取り付け部を別途、バックキャビネット５Ｂに形成する必要もない。
【発明の効果】
【００１７】
請求項１に係るコネクタ端子を備えた電子機器によれば、筐体の内部に各種電子部品とこれらの電子部品を制御する制御基板を収納し、この制御基板に接続したコネクタ端子を前記筐体の背面に形成する開口部に臨ませて固定し、そのコネクタ端子に外部接続用ケーブルの接続用コネクタを接続するように構成した電子機器において、前記背面に少なくとも下向き傾斜の傾斜面を形成し、この傾斜面に前記開口部を形成し、該開口部に装着した前記コネクタ端子に接続用コネクタを介して接続された前記ケーブルを下向き斜め後方に引き出すように案内するとともに、前記制御基板が前記背面に対してほぼ平行に固定され、その制御基板に実装する前記コネクタ端子を前記傾斜面の傾斜角度に対応させて前記制御基板に対して傾斜させて実装したコネクタ端子に接続したケーブルが傾斜面に対してほぼ垂直に引き出されて下向きに傾斜した状態で引き出されるため、バックキャビネットの後方側にケーブルを引き出すために無駄なスペースを確保する必要がなく、省スペース化が可能となる。さらに、筐体内においてほぼ垂直に取り付けられているのに制御基板に対し、外部機器のケーブルを接続するためのコネクタ端子が段差凹部において下向きに形成した傾斜面の傾斜角に対応して制御基板に対して傾斜させて取り付けられているため、筐体内に制御基板をコンパクトに収納でき、筐体を薄型化できるとともに、バックキャビネットの後方側にケーブルを引き出すための無駄なスペースを確保する必要がないため、より一層の省スペース化が可能となる。
【００１８】
請求項２に係るコネクタ端子を備えた電子機器によれば、請求項１記載のコネクタ端子を備えた電子機器において、請求項１記載のコネクタ端子を備えた電子機器において、前記接続用コネクタのハウジングが該接続用コネクタから引き出される前記ケーブルを前記筐体の側部に引き出すように横方向に屈曲させることによって、接続コネクタから導出したケーブルをキャビネットの側方に向かって案内することができ、ケーブルの引き回し作業も容易である。
【００１９】
請求項３に係るコネクタ端子を備えた電子機器によれば、請求項１又は２項に記載のコネクタ端子を備えた電子機器において、前記筐体がフロントキャビネットとバックキャビネットとから成り、この筐体内に表示ユニットを収納し、この筐体を支持するスタンドを設けるとともに、前記表示ユニットに下方に延出する取付ブラケットを固定し、この取付ブラケットを前記スタンドに回動自在に枢着した支持ブラケットに固定したものであるから、視聴者にとって見易い角度となるように表示ユニットの角度を自由に調整することができる。
【００２０】
請求項４に係るコネクタ端子を備えた電子機器によれば、請求項３記載のコネクタ端子を備えた電子機器において、前記バックキャビネットの背面にコネクタ端子を装着する傾斜面と底部を備えた段差凹部を形成し、この段差凹部の底部から前記傾斜面と対向するように前記スタンドを覆うカバー部を延設するとともに、前記傾斜面の傾斜角が、該傾斜面から引き出されたケーブルが前記カバー部と干渉しないように設定されているから、コネクタ端子と接続コネクタの接合部やケーブルに曲げ応力などのストレスがかかることなく、ケーブルを引き出すことができる。
【００２１】
請求項５に係るコネクタ端子を備えた電子機器によれば、請求項３記載のコネクタ端子を備えた電子機器において、前記取付ブラケットと前記段差凹部の底部との間に前記支持ブラケットが挿入可能な隙間を形成するとともに、前記取付ブラケットと前記支持ブラケットとをねじ止め固定し、その固定ねじが挿通可能な開口孔を前記段差凹部の底部に形成したものであるから、段差凹部の底部に形成する開口孔から支持ブラケットと取付ブラケットを固定する固定ねじを挿入する際、バックキャビネットの外面側から固定ねじを挿通する取付ブラケットに形成する挿通孔や支持ブラケットに形成するねじ孔の位置を容易に確認することができ、固定ねじの締め付け作業も容易である。
【発明を実施するための最良の形態】
【００２２】
以下、本発明を実施するための最良の形態としての実施例を図１から図５を参照して説明する。もちろん、本発明は、その発明の要旨を反さない範囲で、実施例において説明した以外のものに対しても容易に適用可能なことは説明を要するまでもない。
【実施例１】
【００２３】
図１〜図５は、本発明の実施例１を示し、図１は、本発明の実施例１を示す支持ブラケットの固定状態を表した拡大断面図、図２は、取付ブラケットの固定状態を示す拡大断面図、図３は、支持ブラケットと取付ブラケットの固定状態示す背面図、図４は、キャビネットの背面図、図５はバックキャビネットを取り外した状態のキャビネットの背面図である。同図において１は、表示ユニットであり、液晶パネル２と、この液晶パネル２を後述するキャビネットに固定するための金属製のシャーシ３とで構成されている。前記液晶パネル２は、図示しない液晶表示素子本体と、この液晶表示素子本体の背面からその外周側を覆う金属製のパネル固定枠２Ａを備え、このパネル固定枠２Ａを前記シャーシ３に複数のねじ（図示せず）によって固定している。この表示ユニット１を組み込む筐体たるキャビネット５は、前後に分割したフロントキャビネット５Ａとバックキャビネット５Ｂとから成り、フロントキャビネット５Ａに液晶パネル２の表示窓６が形成され、このフロントキャビネット５Ａとバックキャビネット５Ｂとは図４に示すように、ねじ８によって固定されるとともに、バックキャビネット５Ｂの中央上部にハンドル９がねじ８Ａによって固定されている。
【００２４】
１０は平板状の金属製板材からなり、全体としてプレート状に形成された取付ブラケットである。この取付ブラケット１０の下部が前記シャーシ３の下方から突出するようにねじ１１によってシャーシ３の下部中央に固定され、前記シャーシ３から下方に突出した取付ブラケット１０の下端側がフロントキャビネット５Ａに一体形成する取り付けボス部１２にねじ１１Ａによって固定されている。また、前記バックキャビネット５Ｂの下部には、バックキャビネット５Ｂから内側に向かって斜め下方に傾斜する下向きに傾斜する傾斜面１３Ａと、この傾斜面１３Ａの下端部から下方に向かって連設した平板状の底部１３Ｂと、前記傾斜面１３Ａと対向するように底部１３Ｂから立ち上がるカバー部１３Ｃとを有する段差凹部１３が形成され、該段差凹部１３の底部１３Ｂが前記取付ブラケット１０を介して前記フロントキャビネット５Ａに突設したボス部２１に前記ねじ８によって固定されている。このねじ８を挿通する部分として、段差凹部１３からさらに内側に突出する凹部１４が形成され、この凹部１４によって前記取付ブラケット１０と段差凹部１３の底部１３Ｂとの間に後述する支持ブラケット１８が挿入可能な隙間Ｓが形成されている。
【００２５】
１５は前記表示部１Ａを支持するスタンドであり、支持ベース１６と、この支持ベース１６に立設した中空状の支柱部１７とで構成され、この支柱部１７の内部に前記取付ブラケット１０を固定するための支持ブラケット１８が枢着軸１８Ａによって前後方向に傾動可能に枢着されている。この支持ブラケット１８は前記取付ブラケット１０と同様、金属製であって、全体としてプレート状を成し、その両側には一対のフランジ部１９が折曲されている。また、前記取付ブラケット１０には、前記取付ブラケット１０のフランジ部１９を両側から挟みつけて前記支持ブラケット１８を幅方向に位置決めするための位置決め手段として、取付ブラケット１０の両側をフランジ状に折曲して一対の案内レール２０を一体形成している。さらに、前記取付ブラケット１０には図３に示すように、切り起し４０が形成され、この切り起し４０に支持ブラケット１８の上端縁を突き当てることによって高さ方向に位置決めしている。なお、前記支持ブラケット１８には前記凹部１４との干渉を避けるための半円状の切り欠き２２が形成されている。そして、前記案内レール２０、切り起し４０によって取付ブラケット１０に対して支持ブラケット１８を位置決めした状態で固定部材として４本の固定ねじ２５によって取付ブラケット１０と支持ブラケット１８とを固定している。この固定ねじ２５は前記取付ブラケット１０に形成するねじ孔２６に螺着され、このねじ孔２６に対応して前記支持ブラケット１８に固定ねじ２５のねじ部を挿通する挿通孔２７が形成され、前記段差凹部１３の底部１３Ｂには固定ねじ２５の頭部２５Ａが挿通可能な開口孔２８が形成されている。なお、前述した段差凹部１３のカバー部１３Ｃはスタンド１５の支柱部１７を覆うように段差凹部１３の底部１３Ｂから立ち上がる。
【００２６】
また、キャビネット５の内部には、表示ユニット２とバックキャビネット５Ｂとの間に位置して表示ユニット２を制御する制御基板３０が配置されている。この制御基板３０は、表示ユニット２とキャビネット５の背面となるバックキャビネット５Ｂと平行するようにシャーシ３に形成した図示しない取付ねじなどによって固定されている。また、制御基板３０の下端縁には外部機器のケーブル３１に接続するためのコネクタ端子３２が実装されている。このコネクタ端子３２は、そのリード端子３２Ａが前記傾斜面１３Ａの傾斜に合わせて屈曲されており、キャビネット５内においてほぼ垂直に取り付けられた制御基板３０に対してコネクタ端子３２は傾斜面１３Ａの傾斜に沿って実装される。このように、制御基板３０に対して傾斜したコネクタ端子３２は傾斜面１３Ａに形成する開口部３３に臨んで取付枠３４によって傾斜面１３Ａに固定され、そのコネクタ端子３２にケーブル３１に設けた接続コネクタ３５を接続して外部機器（図示しない）と接続している。なお、本実施例における接続コネクタ３５のハウジング３６は接続コネクタ３５の軸線上にケーブル３１が連続するようにストレート形状となっており、接続コネクタ３５を介してコネクタ端子３２に接続されるケーブル３１は、接続コネクタ３５の軸線と連続して傾斜面１３Ａの傾斜によってキャビネット５の背面から斜め後方に引き出され、キャビネット５の背面側から見て後方に導出される。ここで、傾斜面１３Ａの傾斜角は、傾斜面１３Ａに取り付けたコネクタ端子３２に接続したケーブル３１がスタンド１５の支柱部１７を覆う段差凹部１３のカバー部１３Ｃと干渉しない角度に設定され、本実施例においては、ほぼ１５度に設定されている。
【００２７】
なお、表示ユニット１を収納するキャビネット５と、これを支持するスタンド１５とを分離可能であり、通常はスタンド１５を取り付けた状態で据え置きとして使用し、壁掛けとして使用する場合、ねじ８Ａを緩めてバックキャビネット５Ｂからハンドル９を取り外すとともに、バックキャビネット５Ｂの段差凹部１３に形成する開口孔２８から図示しない工具を挿し入れて固定ねじ２５を緩めて開口孔２８から固定ねじ２５を取り外して、表示ユニット１を組付けたキャビネット５とスタンド１５とを分解することによって、バックキャビネット５Ｂに形成する引っ掛け孔（図示せず）を壁面に設けたフックなどに引っ掛けて壁掛けとして使用することができる。また、キャビネット５を固定する支持ブラケット１８は、枢着軸１８Ａによってスタンド１５に対して前後方向に傾動可能に枢着され、この支持ブラケット１８に固定される表示部１Ａの角度調整が可能である。これにより、使用者の見やすい角度に表示部１Ａを簡単に調整することができる。
【００２８】
以上の構成される本実施例においては、キャビネット５のバックキャビネット５Ｂと取付ブラケット１０との隙間Ｓからスタンド１５に固定した支持ブラケット１８を挿入し、キャビネット５とスタンド１５とを固定する。この時、支持ブラケット１８は、取付ブラケット１０の両側に形成する案内レール２０の内側に沿って支持ブラケット１８の両側に折曲するフランジ部１９が左右方向に位置決めされた状態で取付ブラケット１０に案内され、支持ブラケット１８の挿入に伴って、支持ブラケット１８の上端縁が取付ブラケット１０に形成する切り起し４０に突き当たって支持ブラケット１８が高さ方向に位置決めされる。これにより、バックキャビネット５Ｂに形成する開口孔２８と支持ブラケット１８に形成する挿通孔２７及び取付ブラケット１０のねじ孔２６の位置が一致する。そして、バックキャビネット５Ｂの開口孔２８から支持ブラケット１８の挿通孔２７に固定ねじ２５を通して取付ブラケット１０のねじ孔２６に固定ねじ２５を螺着して取付ブラケット１０と支持ブラケット１８とを固定することによってキャビネット５にスタンド１５を固定する。
【００２９】
表示ユニット１に外部機器を接続する場合、バックキャビネット５Ｂの段差凹部１３に取り付けたコネクタ端子３２にケーブル３１に設けた接続コネクタ３５を接続する。この際、コネクタ端子３２は、キャビネット５内においてほぼ垂直に取り付けられた制御基板３０に対して前記段差凹部１３において下向きに形成した傾斜面１３Ａに沿って取り付けられているため、コネクタ端子３２に接続コネクタ３５を介して接続されたケーブル３１は傾斜面１３Ａに対してほぼ垂直に引き出され、コネクタ端子３２に接続したケーブル３１がスタンド１５の支柱部１７を覆う段差凹部１３のカバー部１３Ｃと干渉することはない。これにより、ケーブル３がバックキャビネット５Ｂよりも後方側に大きく突出することなくコンパクトに引き出すことができるので、バックキャビネット５Ｂの後方側にケーブル３を引き出すために無駄なスペースを確保する必要がない。従って、省スペース化が可能であるとともに、ケーブル３と段差凹部１３のカバー部１３Ｃとが干渉しないように傾斜面１３Ａの角度を設定しているため、コネクタ端子３２と接続コネクタ３５の接合部やケーブル３に曲げ応力などのストレスがかからない。
【００３０】
以上のように本実施例においては、ケーブル３１と接続するコネクタ端子３２をキャビネット５内においてほぼ垂直に取り付けられた制御基板３０に対して傾斜させて制御基板３０に実装し、これをバックキャビネット５Ｂに形成した段差凹部１３において下向きに形成した傾斜面１３Ａに沿って取り付けることによって、バックキャビネット５Ｂの後方側にケーブル３を引き出すために無駄なスペースを確保する必要がない。しかも、制御基板３０は表示ユニット２とバックキャビネット５Ｂとの間に位置してバックキャビネット５Ｂと平行するように固定され、その制御基板３０に対して傾斜させて制御基板３０に実装することによって、キャビネット５内において、制御基板３０をコンパクトに取り付けることができるため、キャビネット５を薄型化できる。このように、ケーブル３を引き出すためのスペースを少なく抑えるとともに、キャビネット５内において制御基板３０をコンパクトに収納することによって、省スペース化が可能であり、特に液晶型テレビジョン受像機などの薄型化した電子機器において薄型化のメリットをより一層、高めることができる。また、ケーブル３は、支柱部１７を覆うカバー部として機能する段差凹部１３のカバー部１３Ｃと干渉しないように斜め下方に引き出されるから、コネクタ端子３２と接続コネクタ３５の接合部やケーブル３に曲げ応力などのストレスがかからない。また、バックキャビネット５Ｂに段差凹部１３を形成することによって、段差凹部１３の底部１３Ｂと取付ブラケット１０とが近接し、底部１３Ｂに形成する開口孔２８から支持ブラケット１８の挿通孔２７及び取付ブラケット１０のねじ孔２６に固定ねじ２５を挿入する際、これらの挿通孔２７及びねじ孔２６の位置をバックキャビネット５Ｂの外側から直接、確認することができ、固定ねじ２５の締め付け作業も容易であるとともに、その段差凹部１３を利用して接続コネクタ３５を固定することから、接続コネクタ３５を装着する取り付け部を別途、バックキャビネット５Ｂに形成する必要もないから、極めて合理的である。
【実施例２】
【００３１】
図６は本発明の実施例２を示しており、前記実施例１と共通する部分には、同一符号を付し、重複する部分の説明を省略し、異なる部分についてのみ説明する。
【００３２】
前記実施例１では、本実施例における接続コネクタ３５のハウジング３６Ａは接続コネクタ３５の軸線上にケーブル３１が連続するようにストレート形状とした例を示したが、実施例２では、ケーブル３をバックキャビネット５Ｂの側方に案内するように接続コネクタ３５のコネクタハウジング３６を外側に向かって屈曲している。このように、接続コネクタ３５のコネクタハウジング３６Ａを外側に向かって屈曲させることによって、接続コネクタ３５を介してコネクタ端子３２に接続されるケーブル３１は、傾斜面１３Ａの傾斜によってキャビネット５の背面から斜め後方に引き出され、かつ、接続コネクタ３５のコネクタハウジング３６Ａに沿ってキャビネット５の側方、本実施例においては、図６に示すように、キャビネット５の背面側から見て左側に導出されるから、キャビネット５の背面側から引き出されるケーブル３の引き回し作業も容易であるため、作業性にも優れる。
【図面の簡単な説明】
【００３３】
【図１】本発明の実施例１を示す支持ブラケットの固定状態を表した拡大断面図である。
【図２】同上、取付ブラケットの固定状態を示す拡大断面図である。
【図３】同上、支持ブラケットと取付ブラケットの固定状態示す背面図である。
【図４】同上、キャビネットの背面図である。
【図５】同上、バックキャビネットを取り外した状態のキャビネットの背面図である。
【図６】本発明の実施例２を示すキャビネットの背面図である。
【図７】従来のコネクタ端子を示す斜視図であり、図７（ａ）は接続部が制御基板に対して水平に形成されたコネクタ端子を示し、図７（ｂ）は接続部が制御基板に対して垂直に形成されたコネクタ端子を示している。
【図８】同上、コネクタ端子にケーブルを接続した状態を示す説明図であり、図８（ａ）は接続部が制御基板に対して水平に形成されたコネクタ端子を制御ボックスに収納した場合を示し、図８（ｂ）は接続部が制御基板に対して垂直に形成されたコネクタ端子を制御ボックスに収納した場合を示している。
【符号の説明】
【００３４】
１  表示ユニット
２  表示パネル
５  キャビネット（筐体）
５Ａ  フロントキャビネット
５Ｂ  バックキャビネット
１０  取付ブラケット
１３  段差凹部
１３Ａ  傾斜面
１３Ｂ  底部
１３Ｃ  カバー部
１５  スタンド
３０  制御基板
２５  固定ねじ
２８  開口孔
３１  ケーブル
３２  コネクタ端子
３５  接続コネクタ
３６，３６Ａ  コネクタハウジング
Ｓ  隙間
【図１】
2006202817.tif 000003
【図２】
2006202817.tif 000004
【図３】
2006202817.tif 000005
【図４】
2006202817.tif 000006
【図５】
2006202817.tif 000007
【図６】
2006202817.tif 000008
【図７】
2006202817.tif 000009
【図８】
2006202817.tif 000010